(57)【要約】【課題】情報量をかなり増大でき、ダイレクトメートや、招待状等として好適で、興趣に富み、折畳みシートを薄く形成でき、往復葉書全体が薄く、軽量に、コンパクトに形成でき、構成が簡素で、量産し易く、経済的な往復葉書を提供する。【解決手段】往信葉書１と返信葉書２を二つ折り自在に連設した往復葉書本体Ａと、往信葉書１裏面に接着する折畳みシートＢとからなり、往復葉書本体Ａは、周縁部分に配した接着部３を介して往信葉書１裏面と返信葉書２表面とを剥離可能に接着すると共に、折畳み状態の折畳みシートＢを往信葉書１と返信葉書２で挟むように形成し、折畳みシートＢは、複数のシート小片５を谷折り線６や山折り線７を介して縦横に連設して形成すると共に、複数のシート小片５が略重合状に折畳み、展開自在となるよう形成し、折畳みシートＢの表面や裏面には、宣伝広告や伝達情報等の適宜情報を表示する。【選択図】図２
0003132088.tif 000002
【実用新案登録請求の範囲】
【請求項１】
往信葉書と返信葉書が折目線を介して二つ折り自在に連設されている往復葉書本体と、この往復葉書本体の往信葉書裏面に接着される折畳みシートとからなり、前記往復葉書本体は、その周縁部分に配した接着部を介して往信葉書裏面と返信葉書表面とが剥離可能に接着されると共に、折畳み状態の折畳みシートを往信葉書と返信葉書で挟むことができるように形成され、前記折畳みシートは、複数のシート小片を谷折り線や山折り線を介して縦横に連設して形成されると共に、複数のシート小片が略重合状に折畳み、展開自在となるように形成され、折畳みシートの表面や裏面には、宣伝広告や伝達情報等の適宜情報を表示したことを特徴とする往復葉書。
【請求項２】
前記往復葉書本体を、往復郵便はがきの規格寸法と同じに形成すると共に、前記往復葉書本体と前記折畳みシートの総重量を１２グラム以下に形成したことを特徴とする請求項１記載の往復葉書。
【考案の詳細な説明】
【技術分野】
【０００１】
本考案は、例えば、ダイレクトメートや、招待状等として好適な往復葉書に関するものである。
【背景技術】
【０００２】
従来、この種の往復葉書としては、例えば、特許文献１に示すような往復はがきが開示されている。
そして、これは、郵便はがきの規格縦寸法と同等の縦寸法を有し且つ郵便はがきの規格横寸法の四倍の横寸法を有する用紙を、その横方向に四等分されるように交互に山谷を成す三本の折り目を入れて葛折りにし、その中央の折り目により左右に振り分けられた郵便はがき大の用紙重合部における折り目以外の各辺を袋綴じ状に貼着し、これにより一方の用紙重合部を発信用はがきとし且つ他方の用紙重合部を返信用はがきとして宛て名欄を設けたものである。
【０００３】
【特許文献１】特開２００１−１２１８５８公報
【考案の開示】
【考案が解決しようとする課題】
【０００４】
ところが、前述の如き従来の往復葉書にあっては、ある程度多くの情報を送り先に伝えることができるようにはなったが、一枚の用紙を折り目で折り返して形成しているため、その強度や体裁等を考慮すべく比較的厚くて丈夫で綺麗な用紙で形成した場合は、全体が厚く、重くなってしまう難点があると共に、送り先に伝えることができる情報量をかなり増大させることが難しい難点や、コスト高となる等の難点があった。
【０００５】
そこで、本考案は、前述の如き課題を解消し、その情報量をかなり増大させることができ、折畳みシートのみを薄く形成することが可能で、往復葉書全体を比較的薄く、軽量に、且つコンパクトに形成でき、しかも、興趣に富み、構成が簡素で、量産し易く、経済的な往復葉書を提供できるようにすべく案出されたものである。
【課題を解決するための手段】
【０００６】
しかして、請求項１記載の往復葉書にあっては、往信葉書１と返信葉書２が折目線を介して二つ折り自在に連設されている往復葉書本体Ａと、この往復葉書本体Ａの往信葉書１裏面に接着される折畳みシートＢとからなり、前記往復葉書本体Ａは、その周縁部分に配した接着部３を介して往信葉書１裏面と返信葉書２表面とが剥離可能に接着されると共に、折畳み状態の折畳みシートＢを往信葉書１と返信葉書２で挟むことができるように形成され、前記折畳みシートＢは、複数のシート小片５を谷折り線６や山折り線７を介して縦横に連設して形成されると共に、複数のシート小片５が略重合状に折畳み、展開自在となるように形成され、折畳みシートＢの表面や裏面には、宣伝広告や伝達情報等の適宜情報を表示する手段を採用した。
【０００７】
また、請求項２記載の往復葉書にあっては、前記往復葉書本体Ａを、往復郵便はがきの規格寸法と同じに形成すると共に、前記往復葉書本体Ａと前記折畳みシートＢの総重量を１２グラム以下に形成する手段を採用した。
【考案の効果】
【０００８】
従って、請求項１記載の往復葉書によれば、展開状態の折畳みシートＢをかなり大きく形成することが可能となり、その情報量をかなり増大させることができるようになり、例えば、ダイレクトメートや、招待状等として好適な往復葉書となる。
しかも、構成が簡素で、量産し易く、経済的な往復葉書となる。
特に、往信葉書１と返信葉書２を開いてから、折畳み状態の折畳みシートＢを展開状態とするので、興趣に富むものとなる。
更に、折畳みシートＢは、その接着前にあっては往復葉書本体Ａと別体として構成されると共に、折畳み状態のときには往復葉書本体Ａで保護されるため、薄く形成することが可能となる。すなわち、往復葉書の強度や体裁等を配慮して、往復葉書本体Ａを比較的厚く形成したとしても、折畳み状態の折畳みシートＢを薄く形成できるようになるので、往復葉書全体を比較的薄く、軽量に、且つコンパクトに形成することができるようになる。
【０００９】
また、請求項２記載の往復葉書によれば、これを往復郵便はがきの最低料金で送ることができるようになり、大量に送る場合にはより経済的な往復葉書となる。
【考案を実施するための最良の形態】
【００１０】
以下、本考案を図示例に基づいて説明すると、次の通りである。
本考案は、例えば、ダイレクトメートや、招待状等として好適な往復葉書であって、具体的には、往信葉書１と返信葉書２が折目線を介して二つ折り自在に連設されている往復葉書本体Ａと、この往復葉書本体Ａの往信葉書１裏面に接着される折畳みシートＢとからなる。
そして、前記往復葉書本体Ａは、その周縁部分に配した接着部３を介して往信葉書１裏面と返信葉書２表面とが剥離可能に接着されると共に、折畳み状態の折畳みシートＢを往信葉書１と返信葉書２で挟むことができるように形成されている。
また、前記折畳みシートＢは、複数のシート小片５を谷折り線６や山折り線７を介して縦横に連設して形成されると共に、複数のシート小片５が略重合状に折畳み、展開自在となるように形成されている。
更に、折畳みシートＢの表面や裏面には、宣伝広告や伝達情報等の適宜情報を表示して構成されている。
しかも、前記往復葉書本体Ａは、往復郵便はがきの規格寸法と同じに形成されると共に、前記往復葉書本体Ａと前記折畳みシートＢの総重量は、１２グラム以下に形成される。すなわち、往復郵便はがきの最低料金で本考案の往復葉書を送ることができるように構成される。
【実施例】
【００１１】
前記往復葉書本体Ａは、例えば、適宜紙材によって市販されている往復郵便はがきの規格寸法と同じ寸法、形状に形成されている。すなわち、略矩形状の往信葉書１と略矩形状の返信葉書２とを折目線を介して連接すると共に、折目線を介して二つ折り自在となるように形成されている。
【００１２】
尚、前記往信葉書１や返信葉書２は、矩形状以外の形状に形成されたものでも良いし、その寸法も適宜自由に設定することも可能である。また、その材質や、その表裏面へ適宜コーティングを施したりすることや、その表裏面への表示内容等も自由に設定できるものである。
【００１３】
前記接着部３は、例えば、往信葉書１裏面と返信葉書２表面に於いて、折目線を除く周縁部分に配され、往信葉書１と返信葉書２を袋状に接着できるように形成されている。しかも、手指によって比較的簡単に剥離できるように形成されている。
尚、図示例では、接着部３は、往信葉書１裏面と返信葉書２表面の折目線を除く周縁部分に沿って配してあるが、周縁部分全てに設けずに、適宜間隔を隔てた状態（破線状）に設けてあっても良い。
【００１４】
前記折畳みシートＢは、例えば、比較的薄い適宜紙材等（或いは、適宜合成樹脂材や適宜複合材等を、シート状やフィルム状に形成したものでも良い）で形成されており、複数の略矩形状（例えば、平行四辺形状、台形状、或いは長方形状）を呈するシート小片５を谷折り線６や山折り線７を介して縦横に連設すると共に、複数のシート小片５が略重合状に折畳み、展開自在となるよう形成されている。しかも、展開状態が略矩形状を呈するように形成されている。
また、折畳みシートＢは、その折畳み状態のときに、往信葉書１の接着部３内に余裕を持って治まるように形成されている。
加えて、折畳みシートＢは、シート小片５夫々が重なるようにスムーズに折畳めると共に、この折畳み状態からスムーズに展開状態に移行できるよう構成されている。
【００１５】
ところで、谷折り線６と山折り線７が設けられている図示例の折畳みシートＢは、例えば、頂点及び隣合った２側辺を共有させた状態で略矢羽根状に配置された４個の平行四辺形で構成された基本領域の集合で作られ、矢羽根方向と交差する方向の側辺のうち矢羽根方向に隣合ったものどうしが相反するように且つ矢羽根方向に対し直角な方向に隣合ったものどうしが同方向に山折り（山折り線７）、谷折り（谷折り線６）とされ、矢羽根方向に平行な側辺のうち矢羽根方向に隣合ったものどうし並びに矢羽根方向に直角な方向に隣合ったものどうしが相反するように山折り（山折り線７）、谷折り（谷折り線６）に折畳まれるものである。
【００１６】
そして、折畳みシートＢの表面（或いは裏面、或いは表面と裏面）には、適宜宣伝広告（例えば、適宜商品の宣伝広告や、不動産の宣伝広告や、各種イベントの宣伝広告や、お知らせ、その他）や、適宜案内状や招待状等の具体的な伝達情報（例えば、日時、場所、地図、その他）等の適宜情報が印刷手段等によって表示されるようになっている。
【００１７】
尚、本考案の往復葉書の具体的構成、形状、寸法、材質、往復葉書本体Ａの具体的構成、形状、寸法、材質、往信葉書１の具体的構成、形状、寸法、材質、返信葉書２の具体的構成、形状、寸法、材質、接着部３の具体的構成、形状、寸法、配設位置、材質、折畳みシートＢの具体的構成、形状、寸法、材質、シート小片５の具体的構成、形状、寸法、材質、数、谷折り線６の具体的構成、形状、寸法、配設位置、数、山折り線７の具体的構成、形状、寸法、配設位置、数等は図示例のもの等に限定されることなく、適宜自由に設定、変更できるものである。
【図面の簡単な説明】
【００１８】
【図１】本考案の往復葉書を開いた状態の正面図である。
【図２】本考案の往復葉書を開き折畳みシートを展開した状態の正面図である。
【図３】本考案の往復葉書を例示する斜視図である。
【符号の説明】
【００１９】
Ａ    往復葉書本体
１    往信葉書
２    返信葉書
３    接着部
Ｂ    折畳みシート
５    シート小片
６    谷折り線
７    山折り線
【図１】
0003132088.tif 000003
【図２】
0003132088.tif 000004
【図３】
0003132088.tif 000005